Podtech/llm-jp-corpus-v4-ja_patent huggingface dataset:
【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】  制御された軸方向流の撹乱、交差方向流の撹乱または軸方向及び交差方向の双方の流れの撹乱を回転瓶内の回転混合において使用することを含む、回転瓶内の細胞培養物、ウイルス感染細胞もしくはウイルス、および該細胞培養物、ウイルス感染細胞もしくはウイルスを維持するために必要な培地を含む材料の混合増進方法。
【請求項２】  制御された軸方向流の撹乱が鉛直方向の揺動運動と水平軸に沿った回転瓶の定速回転との組合せによって導入されることを特徴とする請求項１に記載の回転瓶内の材料の混合増進方法。
【請求項３】  揺動運動が、回転瓶の回転を駆動するローラの揺動によって生じることを特徴とする請求項２に記載の回転瓶内の材料の混合増進方法。
【請求項４】  揺動運動が、約０度から約＋１０度または−１０度までの揺動角度、及び、約０−約３１．４の揺動対回転の頻度によって規定されることを特徴とする請求項３に記載の回転瓶内の材料の混合増進方法。
【請求項５】  揺動運動が、回転瓶の回転を駆動するローラに複数の突起を設けることによって生じることを特徴とする請求項２に記載の回転瓶内の材料の混合増進方法。
【請求項６】  揺動運動が、回転瓶に複数の突起を設けることによって生じることを特徴とする請求項２に記載の回転瓶内の材料の混合増進方法。
【請求項７】  制御された交差方向流の撹乱が、時間依存性回転速度を使用することによって導入されることを特徴とする請求項１に記載の回転瓶内の材料の混合増進方法。
【請求項８】  回転速度が、瓶の回転数の約０．０１−約１０倍の範囲で変化することを特徴とする請求項７に記載の回転瓶内の材料の混合増進方法。
【請求項９】  回転速度が、時間依存性頻度で連続的または不連続的に変化することを特徴とする請求項７に記載の回転瓶内の材料の混合増進方法。
【請求項１０】  制御された交差方向流の撹乱が、瓶の回転方向を反転させることによって導入されることを特徴とする請求項１に記載の回転瓶内の材料の混合増進方法。
【請求項１１】  回転方向が、回転瓶の回転数の約０．０１−約３倍の範囲で変化することを特徴とする請求項１０に記載の回転瓶内の材料の混合増進方法。
【請求項１２】  回転方向が、時間依存性頻度で連続的または不連続的に変化することを特徴とする請求項１０に記載の回転瓶内の材料の混合増進方法。
【請求項１３】  制御された軸方向流及び交差方向流の撹乱が、揺動運動と時間依存性回転速度との組合せによって導入されることを特徴とする請求項１に記載の回転瓶内の材料の混合増進方法。
【請求項１４】  揺動運動が、回転瓶の回転を駆動するローラの揺動によって生じることを特徴とする請求項１３に記載の回転瓶内の材料の混合増進方法。
【請求項１５】  揺動運動が、回転瓶の回転を駆動するローラに突起を設けることによって生じることを特徴とする請求項１３に記載の回転瓶内の材料の混合増進方法。
【請求項１６】  揺動運動が、回転瓶に突起を設けることによって生じることを特徴とする請求項１３に記載の回転瓶内の材料の混合増進方法。
【請求項１７】  揺動運動が、約０度から約＋１０度または−１０度までの揺動角度、及び、約０から約３１．４の揺動対回転の頻度によって規定され、時間依存性回転速度が回転瓶の回転速度の約０．０１−約１０倍の頻度で変化したことを特徴とする請求項１３に記載の回転瓶内の材料の混合増進方法。
【請求項１８】  揺動速度及び回転速度が時間依存性頻度で連続的または不連続的に変化することを特徴とする請求項１７に記載の回転瓶内の材料の混合増進方法。
【請求項１９】  軸方向及び交差方向の流れの制御された撹乱が揺動運動と時間依存性回転方向との組合せによって導入されることを特徴とする請求項１に記載の回転瓶内の材料の混合増進方法。
【請求項２０】  揺動運動が、回転瓶の回転を駆動するローラの揺動によって生じることを特徴とする請求項１９に記載の回転瓶内の材料の混合増進方法。
【請求項２１】  揺動運動が、回転瓶の回転を駆動するローラに突起を設けることによって生じることを特徴とする請求項１９に記載の回転瓶内の材料の混合増進方法。
【請求項２２】  揺動運動が、回転瓶に突起を設けることによって生じることを特徴とする請求項１９に記載の回転瓶内の材料の混合増進方法。
【請求項２３】  揺動運動が約０度から約＋１０度または−１０度までの揺動角度、及び、約０から約３１．４の揺動対回転の頻度によって規定され、時間依存性方向が回転瓶の回転数の約０．０１−約３倍の頻度で変化することを特徴とする請求項１９に記載の回転瓶内の材料の混合増進方法。
【請求項２４】  揺動速度及び回転方向が時間依存性頻度で連続的または不連続的に変化することを特徴とする請求項２３に記載の回転瓶内の材料の混合増進方法。
【請求項２５】  軸方向及び交差方向の流れの制御された撹乱が揺動運動と時間依存性回転速度と時間依存性回転方向との組合せによって導入されることを特徴とする請求項１に記載の回転瓶内の材料の混合増進方法。
【請求項２６】  揺動運動が、回転瓶の回転を駆動するローラの揺動によって生じることを特徴とする請求項２５に記載の回転瓶内の材料の混合増進方法。
【請求項２７】  揺動運動が、回転瓶の回転を駆動するローラに突起を設けることによって生じることを特徴とする請求項２５に記載の回転瓶内の材料の混合増進方法。
【請求項２８】  揺動運動が、回転瓶に突起を設けることによって生じることを特徴とする請求項２５に記載の回転瓶内の材料の混合増進方法。
【請求項２９】  揺動運動が、約０度から約＋１０度または約−１０度までの揺動角度及び約０から約３１．４の揺動対回転の頻度によって規定され、時間依存性回転方向が回転瓶の回転数の約０．０１−約３倍で変化し、回転速度が回転瓶の回転数の約０．０１−約１０倍の頻度で変化することを特徴とする請求項２５に記載の回転瓶内の材料の混合増進方法。
【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  核酸の検出方法であって、
一方が、該核酸の一方の鎖の結合配列（Ａ）に結合することができ、かつもう一方が、Ａの３’方向に位置し、Ａと重複しない配列Ｃと本質的に相補的である結合配列Ｃ’に結合することができる、２つのプライマーの助けにより該核酸の一部の多数の増幅物を作製する工程、
配列Ａと配列Ｃとの間に位置する配列Ｂまたはその相補体に結合することができる結合配列Ｄを有するプローブと増幅物を接触させる工程、
増幅物とプローブのハイブリッドの形成を検出する工程、
を含み、
結合配列Ａと結合配列Ｃとの間に位置する配列が、プローブの結合配列Ｄおよびそれに結合する増幅物の配列から形成される配列領域Ｅに属さないヌクレオチドを含まないものであり、該増幅物が全長１００ヌクレオチドを超えないものである、核酸の検出方法。
【請求項２】  プローブの結合配列Ｄがプライマーの１つの又は両方の結合配列と重複するものである請求項１記載の方法。＿
【請求項３】  プライマーの少なくとも１つが固定可能に標識されるものであり、かつプローブが検出可能に標識されるものである、請求項１または２記載の方法。
【請求項４】  プライマーの少なくとも１つが検出可能に標識されるものであり、かつプローブが固定可能に標識されるかまたは固定化されるものである、請求項１〜３いずれかに記載の方法。＿
【請求項５】  増幅物が物理的方法および／または分光学的方法により検出される、請求項１〜４いずれかに記載の方法。＿
【請求項６】  増幅物が質量分析法により検出される、請求項１〜５いずれかに記載の方法。
【請求項７】  核酸の特異的検出方法であって、
少なくとも２つのプライマーの助けにより該核酸の一部の多数の増幅物を作製する工程、
増幅物に結合することができるプローブと増幅物を接触させる工程、ならびに
増幅物とプローブとのハイブリッドの形成を検出する工程、
を含み、プライマーの少なくとも１つが検出対象の生物が属する生物の群に特異的でないものであり、増幅物の全長が１００塩基対を超えないものであり、該プライマーによりカバーされない増幅物の領域および該プローブの領域が０〜３ヌクレオチド長である、核酸の特異的検出方法。＿
【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  １）ペットの糞便の質を良好に維持しまたは糞便の質を改善する、および／または２）ペットの胃腸の健康状態を良好に維持しおよび／または胃腸の健康状態を改善する量のチコリを含有するペットフード製品。
【請求項２】  前記チコリはチコリパルプの形状であることを特徴とする請求項１記載のペットフード製品。
【請求項３】  前記チコリパルプの量は、乾燥重量で前記ペットフード製品の０．５パーセントから２０パーセントであることを特徴とする請求項２記載のペットフード製品。
【請求項４】  前記チコリパルプの量は、乾燥重量で前記ペットフード製品の２パーセントから１０パーセントであることを特徴とする請求項３記載のペットフード製品。
【請求項５】  梱包されていることを特徴とする請求項１から４のいずれか１項記載のペットフード製品。
【請求項６】  前記ペットは、犬、猫、または馬であることを特徴とする請求項１から５のいずれか１項記載のペットフード製品。
【請求項７】  乾燥、半生、または生製品であることを特徴とする請求項１から６のいずれか１項記載のペットフード製品。
【請求項８】  １）ペットの糞便の質を良好に維持しまたは糞便の質を改善し、および／または２）胃腸の健康状態を良好に維持しまたは胃腸の健康状態を改善するためのペットフード製品の製造におけるチコリの使用。
【請求項９】  前記チコリがチコリパルプの形状であることを特徴とする請求項８記載のチコリの使用。
【請求項１０】  前記チコリパルプは、乾燥重量でペットフード製品の０．５パーセントから２０パーセントの量で使用されることを特徴とする請求項９記載のチコリの使用。
【請求項１１】  前記チコリパルプは、乾燥重量でペットフード製品の２パーセントから１０パーセントの量で使用されることを特徴とする請求項９記載のチコリの使用。
【請求項１２】  乾燥、半生、または生ドッグフード製品に使用することを特徴とする請求項８から１１のいずれか１項記載のチコリの使用。
【請求項１３】  １）ペットの糞便の質を良好に維持しまたは糞便の質を改善し、および／または２）胃腸の健康状態を良好に維持しおよび／または胃腸の健康状態を改善する方法であって、チコリをペットの食餌に添加する工程を含む方法。
【請求項１４】  前記チコリはチコリパルプの形状であることを特徴とする請求項１３記載の方法。
【請求項１５】  チコリ繊維をペットフード製品の１種類以上の成分と混合する工程を含むことを特徴とする請求項１から７のいずれか１項記載のペットフード製品の製造方法。
【請求項１６】  前記チコリ繊維の形状がチコリ草またはチコリパルプであることを特徴とする請求項１５記載の方法。
【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  連続操作型細胞反応器内において、出発物質としてのクロトノベタイン、その塩またはこれらの誘導体を固定化微生物によってＬ−カルニチンに変換させること、および該微生物の固定化用担体としてセラミック、ガラスビーズまたはポリウレタン製ディスクを使用することを特徴とする、クロトノベタインからのＬ−カルニチンの製造法。
【請求項２】  微生物が大腸菌０４４Ｋ７４（ＤＳＭ  ８８２８）である請求項１記載の方法。
【請求項３】  大腸菌が、その生存能力を損うことのない担体上に固定される請求項１または２記載の方法。
【請求項４】  微生物を担持するセラミックによって反応混合物を濾過した後、既知の方法でＬ−カルニチンを分離させ、次いでクロトノベタインを循環させる請求項１から３いずれかに記載の方法。
【請求項５】  反応培地中のクロトノベタインの濃度が２５ｍＭ〜１Ｍである請求項１から４いずれかに記載の方法。
【請求項６】  反応器内へ流入する常套の市販の複合培地または適当に調製された大腸菌用最少培地に、クロトノベタインのγ−ブチロベタインへの水素化を阻害するインヒビターである呼吸に係る電子受容体、例えば、フマル酸塩、硝酸塩、酸素、Ｎ−オキシドまたはグルコースを添加する請求項１から５いずれかに記載の方法。
【請求項７】  最少培地中にカルニチン代謝酵素である誘導剤、例えば、Ｌ−カルニチン、Ｄ−カルニチンもしくはＤＬ−カルニチン、これらの誘導体および塩並びにクロトノベタイン、その誘導体および塩を添加する請求項１から６いずれかに記載の方法。
【請求項８】  フマル酸塩の濃度を５０ｍＭに維持して大腸菌０４４Ｋ７４を複合培地上で嫌気性もしくは部分嫌気性条件下で培養する請求項１記載の方法。
【請求項９】  クロトノベタイン（５０ｍＭ）、膵臓ペプトン（５ｇ／ｌ）、ＮａＣｌ（５ｇ／ｌ）およびフマル酸塩（５ｍＭ）を含有し、ｐＨが７．５の複合培地上で大腸菌０４４Ｋ７４を嫌気性もしくは部分嫌気性条件下で培養し、反応を連続操作型膜反応器内でおこなう請求項１記載の方法。
【請求項１０】  異なる化学組成、例えば、セルロース製、ポリスルホン製またはポリサルホン化ポリスルホン製の既知の限外濾過膜または、精密濾過膜（排除限界：３３０ｋＤａもしくは０．２μ）から構成される市販の逆流濾過モジュールまたは中空繊維モジュールを使用することによって、反応器内での微生物の循環を連続的におこなう請求項１から７いずれかに記載の方法。
【請求項１１】  合成を嫌気性または部分嫌気性条件下でおこなう請求項１から９いずれかに記載の方法。
【請求項１２】  連続操作型反応器内でのカルニチンの製造を、２台のポンプ（配量用ポンプおよび濾過用ポンプ）によって調整される異なる希釈率および種々の攪拌速度とバイオマス濃度の条件下においておこなう請求項１記載の方法。
【請求項１３】  濾過液の流出速度をプロセスパラメーターによって調整する請求項１２記載の方法。
【誤訳訂正書】
【提出日】平成18年4月4日(2006.4.4)
【誤訳訂正１】
【訂正対象書類名】明細書
【訂正対象項目名】特許請求の範囲
【訂正方法】変更
【訂正の内容】
【特許請求の範囲】
【請求項１】  胎児及び成人の肝臓サンプルの区別方法であって、該方法が、以下：
Ｇ６ＰＤ、カルモジュリン、ＶＬＤＬＲ、ウジュリン１／ウンジュリン／細胞外マトリックス糖タンパク質、肝細胞ｇｆ、ＩＧＦ結合タンパク質１、ユビキチン、シトクロムｐ４５０−２Ｅ１、及びチモシンβ−１０からなる群から選ばれた２種以上の遺伝子のサンプル中の発現についてアッセイする工程であって、Ｇ６ＰＤ、ＶＬＤＬＲ、ウジュリン１／ウンジュリン／細胞外マトリックス糖タンパク質、シトクロムｐ４５０−２Ｅ１、及びチモシンβ−１０の発現から成人肝臓サンプルを決定し、またカルモジュリン、肝細胞ｇｆ、ＩＧＦ結合タンパク質１、及びユビキチンの発現から胎児肝臓サンプルを決定する工程を包含する、方法。
【請求項２】  少なくとも３種の遺伝子の発現をアッセイする、請求項１に記載の方法。
【請求項３】  少なくとも４種の遺伝子の発現をアッセイする、請求項１に記載の方法。
【請求項４】  少なくとも５種の遺伝子の発現をアッセイする、請求項１に記載の方法。
【請求項５】  少なくとも６種の遺伝子の発現をアッセイする、請求項１に記載の方法。
【請求項６】  少なくとも７種の遺伝子の発現をアッセイする、請求項１に記載の方法。
【請求項７】  少なくとも８種の遺伝子の発現をアッセイする、請求項１に記載の方法。
【請求項８】  少なくとも９種の遺伝子の発現をアッセイする、請求項１に記載の方法。
【請求項９】  少なくとも１０種の遺伝子の発現をアッセイする、請求項１に記載の方法。
【請求項１０】  請求項１に記載の方法における胎児及び成人の肝臓サンプルの区別用の固体支持体の使用であって、該支持体が、以下：Ｇ６ＰＤ、カルモジュリン、ＶＬＤＬＲ、ウジュリン１／ウンジュリン／細胞外マトリックス糖タンパク質、肝細胞ｇｆ、ＩＧＦ結合タンパク質１、ユビキチン、シトクロムｐ４５０−２Ｅ１、及びチモシンβ−１０からなる群から選ばれた２種以上の遺伝子を検出するための２種以上のオリゴヌクレオチドを含み、夫々のオリゴヌクレオチドが２種以上の遺伝子のうちの一種に相補性である配列を含む、固体支持体の使用。
【請求項１１】  胎児及び成人の肝臓サンプルの区別用の固体支持体であって、該支持体が、以下：Ｇ６ＰＤ、カルモジュリン、ＶＬＤＬＲ、ウジュリン１／ウンジュリン／細胞外マトリックス糖タンパク質、肝細胞ｇｆ、ＩＧＦ結合タンパク質１、ユビキチン、シトクロムｐ４５０−２Ｅ１、及びチモシンβ−１０からなる群から選ばれた２種以上の遺伝子を検出するための２種以上のオリゴヌクレオチドを含み、夫々のオリゴヌクレオチドが２種以上の遺伝子のうちの一種に相補性である配列を含む、固体支持体。
【誤訳訂正２】
【訂正対象書類名】明細書
【訂正対象項目名】００１５
【訂正方法】変更
【訂正の内容】
【００１５】
実施例３
クローン化脳ｃＤＮＡ及び脳ポリ(A)+ｍＲＮＡ（逆転写）をサンプルとして使用するプロフィールを比較した。表２に示されるように、夫々のサンプル型は多数の低コピー遺伝情報を生じた。低コピー遺伝情報である特異な遺伝情報の％は夫々のサンプル源についてほぼ同じであった。
図１に示されるように、胎児脳ハイブリダイゼーション強さ、ポリ(A)+vsｃＤＮＡのプロットは１の傾斜を有する線を生じた。
【誤訳訂正３】
【訂正対象書類名】明細書
【訂正対象項目名】００１７
【訂正方法】変更
【訂正の内容】
【００１７】
実施例４
脳及び肝臓中のｍＲＮＡを比較した（それらのｃＤＮＡによる）。表３は結果を示す。データの第一の欄は胎児脳及び胎児肝臓を比較する。データの第二の欄は胎児脳及び成人脳を比較する。データの第三の欄は青年期肝臓を胎児肝臓と比較する。胎児肝臓中の低コピー遺伝情報の％は非常に低い。これは公共のデータベース（これらからプローブが誘導された）が胎児肝臓からの遺伝情報の不足提示を含むことを示す。
【手続補正書】
【提出日】平成17年10月25日(2005.10.25)
【手続補正１】
【補正対象書類名】明細書
【補正対象項目名】特許請求の範囲
【補正方法】変更
【補正の内容】
【特許請求の範囲】
【請求項１】  高分子フルクタンポリマーの合成につながるフルクトシルトランスフェラーゼ（FFT）の酵素活性を有する蛋白質をコードする核酸分子であって、平均で20よりも多いフルクトシル残基を含み、
（a）配列番号：2および配列番号：4に示されるアミノ酸配列を含む蛋白質をコードする核酸分子と、
（b）配列番号：1もしくは配列番号：3に示されるヌクレオチド配列または対応するリボヌクレオチド配列を含む核酸分子と、
（c）（a）または（b）に記載の核酸分子の相補鎖にストリンジェントな条件下でハイブリダイズする核酸分子と、
（d）（a）、（b）または（c）のヌクレオチド配列の断片を含む核酸分子とからなる群より選択される核酸分子。
【請求項２】  DNA分子である、請求項１記載の核酸分子。
【請求項３】  cDNA分子である、請求項２記載の核酸分子。
【請求項４】  RNA分子である、請求項１記載の核酸分子。
【請求項５】  チョウセンアザミ由来である、請求項１〜４のいずれか一項記載の核酸分子。
【請求項６】  請求項１〜５のいずれか一項記載の核酸分子を含むベクター。
【請求項７】  核酸分子が、原核および／または真核細胞中の翻訳可能RNAの転写および合成を確実にする調節エレメントに機能的に連結されている、請求項６記載のベクター。
【請求項８】  調節エレメントがパタチンB33プロモーターまたはCaMV 35Sプロモーターに由来する、請求項７記載のベクター。
【請求項９】  請求項１〜５のいずれか一項記載の核酸分子もしくは請求項６〜８のいずれか一項記載のベクターにより形質転換された宿主細胞またはそのような細胞に由来する宿主細胞。
【請求項１０】  ショ糖依存的ショ糖フルクトシルトランスフェラーゼ（SST）をコードする遺伝子をさらに含む、請求項９記載の宿主細胞。
【請求項１１】  FFTの製造方法であって、請求項９記載の宿主細胞がFFTの合成を可能にする条件下で培養され、且つFFTが培養された細胞および／または培地から単離される方法。
【請求項１２】  請求項１〜５のいずれか一項記載の核酸分子によってコードされるか、または請求項１１記載の方法によって製造されるFFT。
【請求項１３】  請求項１〜５のいずれか一項記載の核酸分子またはその相補鎖に特異的にハイブリダイズする核酸分子。
【請求項１４】  請求項９または１０記載の形質転換された宿主細胞、特にトランスジェニック植物細胞、トランスジェニック植物組織およびトランスジェニック植物を製造するための方法であって、請求項１〜５のいずれか一項記載の核酸分子または請求項６〜８のいずれか一項記載のベクターの、宿主細胞、植物細胞、植物組織または植物への導入を含む方法。
【請求項１５】  形質転換された宿主細胞、トランスジェニック植物細胞、植物組織または植物であって、請求項１〜５のいずれか一項記載の核酸分子もしくは請求項６〜８のいずれか一項記載のベクターを含むか、もしくは請求項１４記載の方法によって得られる、またはこのような細胞、組織もしくは植物に由来する細胞、組織または植物。
【請求項１６】  ショ糖依存的ショ糖フルクトシルトランスフェラーゼをコードする遺伝子をさらに含む、請求項１５記載の形質転換された宿主細胞、トランスジェニック植物細胞、植物組織または植物。
【請求項１７】  請求項１５または１６記載の植物細胞または植物組織を含む植物。
【請求項１８】  有用植物である、請求項１５〜１７のいずれか一項記載の植物。
【請求項１９】  有用植物がショ糖含有植物である、請求項１８記載の植物。
【請求項２０】  請求項１５または１６記載の植物細胞を含む、請求項１５〜１９のいずれか一項記載の植物の繁殖材料。
【請求項２１】  請求項１５または１６記載の植物細胞を含む、請求項１５〜１９のいずれか一項記載の植物の収穫産物。
【請求項２２】  下記の段階を含む高分子イヌリンを製造するための方法：
（a）請求項１５もしくは１６記載の形質転換された宿主細胞、トランスジェニック植物細胞もしくは植物組織、または請求項１５〜１９のいずれか一項記載の植物を、FFTの産生と、選択的には外部から供給された、1-ケストースまたは等価な基質の高分子イヌリンへの変換とを可能にする条件下で培養する段階と、
（b）このようにして産生されたイヌリンを培養細胞、組織もしくは植物から、または培地から回収する段階。
【請求項２３】  下記の段階を含む高分子イヌリンを製造するための方法：
（a）1-ケストースまたは等価な基質を請求項１２記載のFFTと、高分子イヌリンへの変換を可能にする条件下で接触させる段階、および
（b）このようにして産生されたイヌリンを回収する段階。
【請求項２４】  高分子イヌリンを製造するためのインビトロでの方法であって、基質であるショ糖がSSTおよびFFTを含む酵素の組み合わせによって高分子イヌリンに変換される方法。
【請求項２５】  請求項１５もしくは１６記載の宿主細胞、植物細胞もしくは植物組織から、請求項１５〜１９のいずれか一項記載の植物から、請求項２０記載の繁殖材料から、もしくは請求項２１記載の収穫産物から、または請求項２２〜２４のいずれか一項記載の方法によって得られる高分子イヌリン。
【請求項２６】  水系における粘度を増大させるための界面活性剤を製造するため、洗剤として、懸濁化剤として、沈降速度を高めるため、且つ水を複合化または結合するための請求項２５記載のイヌリンの使用。
【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  ポリマー領域と該ポリマー領域を相互連結するフィブリルとの網状組織を含む多孔質ポリオレフィンシートで製造される拡散反射材料を構造体に装着して具備する拡散反射物品。
【請求項２】  複数の空隙を有するポリマー材料の網状組織を含む多孔質ポリマーシートで製造される拡散反射材料を構造体に装着して具備する拡散反射物品であって、該材料が、
（ａ）ポリマー成分と、
（ｂ）前記ポリマー成分の融点を超える温度あるいは、ポリマーおよび希釈剤を合わせた溶液の液液相分離温度において、該ポリマー成分と混和性である希釈剤成分と、
を含む拡散反射物品。
【請求項３】  前記ポリマー材料が、
（ａ）少なくとも２０重量部のポリマー成分と、
（ｂ）約８０重量部未満の希釈剤成分と、
を含む請求項２に記載の物品。
【請求項４】  拡散反射材料を用いて光エネルギをそこから反射するステップを含む光の拡散反射率を改良する方法であって、該材料が、複数の空隙を有するポリマー材料の網状組織を含む多孔質ポリマーシートを具備し、かつ
（ａ）ポリマー成分と、
（ｂ）前記ポリマー成分の融点を超える温度あるいは、ポリマーおよび希釈剤を合わせた溶液の液液相分離温度において、該ポリマー成分と混和性である希釈剤成分と、
を含む方法。
【手続補正書】
【提出日】平成17年10月13日(2005.10.13)
【手続補正１】
【補正対象書類名】明細書
【補正対象項目名】請求項７
【補正方法】変更
【補正の内容】
【請求項７】
Ｒ3が：
【化５】
2001521187.tif 000001
からなる群から選択され、そしてＲ7およびＲ8が独立して−Ｈ、−ＯＨ、−ＯＣＨ3、−
ＮＯ2、−Ｃｌ、−Ｆ、−Ｂｒ、−Ｎ（ＣＨ3）2、または−Ｎ（ＣＨ2ＣＨ3）2を表し；Ｒ9が−Ｈ、−ＣＯ−ＯＲ10、−ＣＯ−Ｎ（Ｒ10）2、−ＣＯ−Ｒ10、−ＣＮを表し；そしてＲ10が−Ｈ、−ＣＨ3、または−ＣＨ2ＣＨ3を表す請求項６の組成物。
【手続補正書】
【提出日】平成17年9月29日(2005.9.29)
【手続補正１】
【補正対象書類名】明細書
【補正対象項目名】特許請求の範囲
【補正方法】変更
【補正の内容】
【特許請求の範囲】
【請求項１】  本体と、該本体内に位置し圧縮ガス源から選択的に圧縮ガスを受ける発射チャンバーと、装填操作中に該発射チャンバーにペイントボールを装填するボルトと、発射操作中に該ペイントボールを発射するために該発射チャンバー内に該圧縮ガス源からの該圧縮ガスを選択的に受け入れることが出来るバルブと、ペイントボール銃の一以上の操作を制御するための電気回路と、からなる電気制御可能ペイントボール銃であり、
該電気回路は電気ソレノイドバルブを制御し、
該ソレノイドバルブは該圧縮ガス源から規制された圧縮ガスの供給を受け入れ、該ソレノイドバルブを通して該圧縮ガスを空気ピストンに導き、該装填操作を初期化する、
電気制御可能ペイントボール銃。
【請求項２】  前記ソレノイドバルブからの前記圧縮ガスは、選択的に、前記電気回路からの電気信号に基づいて前記ピストンの一端に選択的に供給され、
前記ボルトは、機械的リンクを介して該空気ピストンと連結し、
該空気ピストンの動作は、前記ペイントボール銃の前記装填操作を制御するための該ボルトの動作をもたらす、
請求項１の電気制御可能ペイントボール銃。
【請求項３】  回路基板は、ペイントボール銃のグリップ内に取り付けられる、請求項１のペイントボール銃の電気回路に使用される電気回路基板。
【請求項４】  本体と、該本体内に位置し圧縮ガス源から選択的に圧縮ガスを受け入れる発射チャンバーと、装填操作中に該発射チャンバーにペイントボールを装填するボルトと、発射操作中に該ペイントボールを発射するために該発射チャンバー内に該圧縮ガス源からの該圧縮ガスを選択的に入れることが出来るバルブと、ペイントボール銃の一以上の操作を制御するための電気回路と、からなる電気制御可能ペイントボール銃であり、
該電気回路は、多量の圧縮ガスに該ボルトを開位置まで移動させることによって該ペイントボール銃の装填操作を制御するように設計されている、
電気制御可能ペイントボール銃。
【請求項５】  本体と、該本体内に位置し圧縮ガス源から選択的に圧縮ガスを受け入れる発射チャンバーと、装填操作中に該発射チャンバーにペイントボールを装填するボルトと、発射操作中に該ペイントボールを発射するために該発射チャンバー内に該圧縮ガス源からの該圧縮ガスを選択的に入れることが出来るバルブと、ペイントボール銃の一以上の操作を制御するための電気回路と、該電気回路からの一以上の制御信号に基づいて該ペイントボール銃の該装填操作及び該発射操作を制御する一以上のソレノイドバルブと、からなる電気制御可能ペイントボール銃であり、
該ボルトを開くために圧縮ガスを空気ピストンの一端に導くことにより、該一以上のソレノイドバルブは該装填操作を電気空気式に制御し、
該一以上のソレノイドバルブは、該バルブを開いて圧縮ガスを該発射チャンバーに入れて、該発射操作を制御する、
電気制御可能ペイントボール銃。
【請求項６】  本体と、該本体内に位置し圧縮ガス源から選択的に圧縮ガスを受け入れる発射チャンバーと、装填操作中に該発射チャンバーにペイントボールを装填するボルトと、発射操作中に該ペイントボールを発射するために該発射チャンバー内に該圧縮ガス源から該圧縮ガスを選択的に入れることが出来るバルブと、ペイントボール銃の一以上の操作を制御するための電気回路と、ソレノイドバルブからの圧縮ガスを受け入れ該ソレノイドバルブを介して圧縮ガスを送出しピストンアセンブリを操作する空気シリンダーと該ピストンアセンブリと、からなる電気制御可能ペイントボール銃であり、
該アセンブリは機械的リンクを介して該ボルトと連結し、該アセンブリの操作は該ボルトの動作を制御する
電気制御可能ペイントボール銃。
【請求項７】  トリガー作動式スイッチと、グリップ内に備え付けられ該スイッチと電気的に連結している電気回路と、からなるペイントボール銃用のグリップであり、
該電気回路は、1回の引き金を引くことに対応して、該ペイントボール銃の発射シーケンスを初期化し、
該電気回路は、さらに、電気信号をソレノイドに送ることにより、該ペイントボール銃の装填作業を制御する、
ペイントボール銃用のグリップ。
【請求項８】  電源より電力を受ける電源接続と、該電源接続を介して電力を受けペイントボール銃の発射シーケンスを制御する電気タイミング回路と、電気タイミング回路から通電パルスを受け、圧縮ガスの流れを該ソレノイドバルブを経由してボルトに接続されている空気ピストンに導くソレノイドバルブと、を有する
ペイントボール銃の操作を制御するための電気制御ユニット。
【請求項９】  前記ソレノイドバルブは一以上の三方ソレノイドバルブを含む、請求項８の電気制御ユニット。
【請求項１０】  本体と、該本体内に位置し圧縮ガス源から選択的に圧縮ガスを受け入れる発射穴と、該発射穴にペイントボールを装填するボルトと、装填操作中に圧縮ガスを受け入れ該ボルトを開位置に移動させ、発射操作中に該圧縮ガスの該発射穴への送出を制御する一以上の空気ピストンと、圧縮ガス源と該装填操作及び該発射操作を制御する該一以上の空気ピストンの間の流体連通を制御するように配置された一以上のソレノイドバルブと、からなる電気制御可能空気式ペイントボール銃。
【請求項１１】  ペイントボール銃の中に配置され、電気信号を前記一以上のソレノイドバルブに送信し前記装填装置及び前記発射操作のタイミングを制御する電気回路基板を更に含む、請求項１０の電気制御可能ペイントボール銃。
【請求項１２】  前記一以上の空気ピストンはそれぞれ第一端及び第二端を備え、前記一以上のソレノイドバルブは圧縮ガスを該ピストンのうちの一つの該第一端に導いて装填操作を初期化し、該一以上のソレノイドバルブは圧縮ガスを該ピストンのうちの一つの該第二端に導いて発射操作を初期化する、請求項１０の電気制御可能ペイントボール銃。
【請求項１３】  ボルトと、空気シリンダーと、該空気シリンダー内を摺動可能に装着されたピストンと、該ピストンと該ボルトとの間を連結し該ピストンの動作が該ボルトの動作をもたらす機械的リンクと、圧縮ガスを該ピストンに導き該ボルトの動作を制御する電気ソレノイドバルブと、を有する電気空気式制御型ボルトシステム。
【請求項１４】  前記電気ソレノイドバルブは圧縮ガスを前記ピストンの第一端に伝達することにより前記ボルトを開く、請求項１３のボルトシステム。
【請求項１５】  圧縮ガスが前記ピストンの第一端から放出されることにより前記ボルトを閉める、請求項１３のボルトシステム。
【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  互いに結び付いて安全点火に役立ち、他の二次的な機能要素とともに、ガス加熱暖炉のメーンバーナと点火バーナとに対するガス流の分割に用いられ、複数部分からなるケーシング内に収容されている熱調整式の安全点火弁（２２）および手動的に操作されるメーンバルブ（１６−２０）と、急激なオン・オフ切り替えを行う第１の弁（４７）と、ガス量調整を行う第２の弁（４４）とを備え、第１および第２の弁は、メーンバーナ用のガス流の流動径路において、メーンバルブ（１６−２０）の下流側でケーシング（１）内に設置され、開閉機構（３３）の初期作動により第１の弁（４７）が急激に開放され、そして開閉機構（３３）をさらに作動させることにより第２の弁（４４）が漸次開放されて行くように、バネ要素（３９）により負荷された開閉機構（３３）によって制御可能に設け、さらに開閉機構（３３）は、長さ方向に可動でケーシング（１）から突出するタペット（３２）により作動可能であるように設計されている第１および第２の弁を有するガス加熱暖炉又は類似の装置用のガス制御器であって、 
タペット（３２）の位置は、軸方向に移動可能な操作要素（３）によって変更可能であり、且つ該操作要素の回転運動は、ケーシング（１）で位置決めされたストッパによって限定され、さらに操作要素（３）は、ついで手動的に、或いはバッテリにより給電される電気モータの形式の駆動ユニット（４２）の少なくとも何れかによって作動可能であり、ならびに操作要素（３）には、放射方向に配列された歯（４０）を設け、この歯に対し駆動ユニット（４２）を増速歯車装置（４１）を介して接続し、且つ駆動ユニット（４２）と操作要素（３）間にすべりクラッチ（４３）を設けることを特徴とする、ガス加熱暖炉又は類似の装置用のガス制御器。
【請求項２】  前記バネ要素が少なくとも２個のバネ要素（３９）であって、そのうちの１個のバネ要素（３９）のバネ定数を、開閉機構（３３）の開閉径路が急激なオン・オフ切り替えの範囲内にあるとき該１個のバネ要素がブロック長さをとることとなるように選択してあり、開閉機構（３３）の開閉径路がガス量調整範囲内にあるときには両バネ要素（３９）が弾性範囲内にある少なくとも２個のバネ要素（３９）から構成したことを特徴とする、請求項１記載のガス加熱暖炉又は類似の装置用のガス制御器。
【請求項３】  前記両バネ要素がそれぞれ、１個又は複数個の皿バネ（３９）からなることを特徴とする、請求項２記載のガス加熱暖炉又は類似の装置用のガス制御器。
【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】  連結される管を受け入れるための孔を持って形成された第一部分、及び前記第一部分に取り付け可能でかつ前記孔内に前記管を固定するようにその軸方向に可動な第二部分を含むハウジング；及び
連結される管を取り囲むように前記第二部分内に受け入れられた弾性割リング、を含み、
前記割リングが第二部分の内部円錐面と係合可能でかつ前記孔内に管を固定するように軸方向に第二部分を動かすと、割リングをその内径を減らすように圧縮しそれにより割リングが取り囲んだ管をしっかりと掴むこととなるのに効果的な外部円錐面を持っており；
その割れ部を規定する前記割リングの対向端が互いに横方向に喰違っており、この喰違い端が互いに重複関係で動くことにより、割リングが圧縮されるとその内径を実質的に減少することが可能であり、それにより割リングが広範囲の外径を持つ管を掴むことができることを特徴とする管継手。
【請求項２】  前記第一部分が連結される管を受け入れるための前記孔を持って形成された本体部材であり；前記第二部分が前記本体部材上にねじ込まれて受けられるナットであることを特徴とする請求項１に記載の継手。
【請求項３】  割リングが圧縮されるとき互いに重複関係に動かされる、前記割リングの対向端部が割リングの非重複中央部より厚さがより小さいものであることを特徴とする請求項１に記載の継手。
【請求項４】  割リングの少なくとも一つの前記対向端の外縁が先細り表面を持って形成されており、割リングの圧縮によりその対向端が横方向に変位し、かつ接触しないであろうことを確実とすることを特徴とする請求項１に記載の継手。
【請求項５】  前記割リングがその内面上に環状ロッキングリブを持って形成されており、このリブが比較的軟らかい材料の管が割リングにより取り囲まれ掴まれたとき管の外面内に埋め込まれることを特徴とする請求項１に記載の継手。
【請求項６】  前記割リングが割リングの一側面上に固定されその円周的に間隔を置いた位置で割リングの内面を過ぎて半径方向内向きに突出する複数の硬質歯を含み、この歯が管が割リングに取り囲まれ掴まれたとき管の外面内に埋め込まれることを特徴とする請求項１に記載の継手。
【請求項７】  前記本体部材が円錐内表面を持って形成されており、前記継手が更にナットを締めつけると本体部材の前記円錐表面と係合可能な端面を持つシールリングを含むことを特徴とする請求項１に記載の継手。
【請求項８】  前記シールリングが円筒形状のものであり、前記継手が更に前記弾性割リングと前記シールリングの間に接触リングを含み、前記接触リングの外面が、円錐形状のものであり、割リングの大径端と接触する小径端、及びシールリングの一端と接触する大径端を持つことを特徴とする請求項７に記載の継手。
【請求項９】  前記第一ハウジング部分が更にその前記円錐表面の内方の孔周りに円周的に間隔を置かれた複数の変形可能なストップを持って形成されており、前記ストップが継手中に挿入された管の端部と係合可能であるが、弾性割リングが管に掴まれた後の第二ハウジング部分の最終軸方向移動時に管の内方への軸方向移動を可能とする力の下に変形可能であることを特徴とする請求項１に記載の継手。
【請求項１０】  前記変形可能なストップのそれぞれが第一ハウジング部分に一体的に結合されたベースを持ちかつ本体部材の孔中に挿入されたとき管の端部と係合するためにその孔中に非半径方向に突出するベーンの形であり、前記ベーンが第二ハウジング部分の最終軸方向移動時に作り出される力の下に孔の内面に向けてゆがむことができることを特徴とする請求項９に記載の継手。
【請求項１１】  前記ベーンのそれぞれが第一ハウジング部分中に挿入されたとき管の端部と係合可能なかつ第二ハウジング部分の前記最終軸方向移動時に管の端部によるベーンのゆがみを容易とする先細りリード縁を持つことを特徴とする請求項１０に記載の継手。
【請求項１２】  連結される管を受け入れるための孔を持って形成された第一部分、及び前記第一部分に取り付け可能でかつ前記孔内に前記管を固定するようにその軸方向に可動な第二部分を含むハウジング；及び
連結される管を取り囲むように前記第二部分内に受け入れられた弾性割リング、を含み、
前記割リングが第二部分の内部円錐面と係合可能でかつ前記孔内に管を固定するように軸方向に第二部分を動かすと、割リングをその内径を減らすように圧縮しそれにより割リングが取り囲んだ管をしっかりと掴むこととなるのに効果的な外部円錐面を持っており；
前記第一ハウジング部分がその前記円錐表面の内方の孔周りに円周的に間隔を置かれた複数の変形可能なストップを含み、前記ストップが継手中に挿入された管の端部と係合可能であるが、弾性割リングが管に掴まれた後の第二ハウジング部分の最終軸方向移動時に管の内方への軸方向移動を可能とする力の下に変形可能であることを特徴とする管継手。
【請求項１３】  前記第一部分が連結される管を受け入れるための前記孔を持って形成された本体部材であり；前記第二部分が前記本体部材上にねじ込まれて受けられるナットであることを特徴とする請求項１２に記載の継手。
【請求項１４】  前記変形可能なストップのそれぞれが本体部材に一体的に結合されたベースを持ちかつ本体部材の孔中に挿入されたとき管の端部と係合するために本体部材の孔中に非半径方向に突出するベーンの形であり、前記ベーンがナットの最終締めつけ時に作り出される力の下に孔の内面に向けてゆがむことができることを特徴とする請求項１３に記載の継手。
【請求項１５】  前記ベーンのそれぞれが本体部材中に挿入されたとき管の端部と係合可能なかつナットの前記最終締めつけ時に管の端部によるベーンのゆがみを容易とする先細りリード縁を持つことを特徴とする請求項１４に記載の継手。
【請求項１６】  連結される管を受け入れるための孔を持って形成された第一部分、及び前記第一部分に取り付け可能でかつ前記孔内に前記管を固定するようにその軸方向に可動な第二部分を含むハウジング；及び
連結される管を取り囲むように前記第二部分内に受け入れられた弾性割リング、を含み、
前記割リングが第二部分の内部円錐面と係合可能でかつ前記孔内に管を固定するように軸方向に第二部分を動かすと、割リングをその内径を減らすように圧縮しそれにより割リングが取り囲んだ管をしっかりと掴むこととなるのに効果的な外部円錐面を持っており；
前記割リングが割リングの一側面上に固定されその円周的に間隔を置いた位置で割リングの内面を過ぎて半径方向内向きに突出する複数の硬質歯を含み、この歯が管が割リングに取り囲まれ掴まれたとき管の外面内に埋め込まれることを特徴とする管継手。
【請求項１７】  前記第一部分が連結される管を受け入れるための前記孔を持って形成された本体部材であり；前記第二部分が前記本体部材上にねじ込まれて受けられるナットであることを特徴とする請求項１６に記載の継手。
【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  下記のものを含む電気喫煙システム：
−  予め決められた誘導マーカーを与えられた構成要素を含む紙巻きタバコ；及び
−  紙巻きタバコ受入口；前記紙巻きタバコ受入口に沿った位置に誘導マーカーの存在を示す信号を発生するように適応された紙巻きタバコ識別器；及び前記紙巻きタバコ識別器と通信する制御器（前記制御器は前記信号の受信及び処理で電気ライターの操作を可能及び不可能にするように構成されている）を含む電気ライター。
【請求項２】  電気紙巻きタバコライターシステムであって、前記ライターが下記のものを含むシステム：
−  紙巻きタバコ受入口；
−  前記紙巻きタバコ受入口に沿った位置にある誘導子の有効抵抗のレベルを示す信号を発生するように構成された紙巻きタバコ識別器；及び
−  前記紙巻きタバコ識別器と通信する制御器（前記制御器は前記信号の受信及び処理で前記電気ライターの操作を可能及び不可能にするように構成されている）。
【請求項３】  紙巻きタバコ識別器が誘導センサーを含む請求項１又は２記載のシステム。
【請求項４】  誘導センサーがコイルを含み、前記コイルが内部を有しかつ発振回路に接続され、前記コイルが紙巻きタバコをその内部に受入れるように構成される請求項３記載のシステム。
【請求項５】  発振回路が制御器によって感知される出力電圧信号を発生する請求項４記載のシステム。
【請求項６】  制御器が感知された出力電圧を予め設定された選択範囲の値と比較し、比較の結果に応答してライターを活性化又は不活性化する請求項５記載のシステム。
【請求項７】  紙巻きタバコが前記位置での誘導コイルのＱに影響を及ぼすように適応された誘導マーカーを含む請求項１記載のシステム。
【請求項８】  前記紙巻きタバコ識別器が前記紙巻きタバコ受入口のまわりに同軸配置された誘導コイルを含み、前記制御器が前記誘導コイルにおける誘導変化を検知するための手段を含む請求項３記載の電気喫煙システム。
【請求項９】  前記紙巻きタバコ受入口が紙巻きタバコをスライド可能に受入れるように配置された口を有する受口を含み、前記コイルが前記口のまわりに同軸配置されている請求項８記載のシステム。
【請求項１０】  請求項３記載のシステムであって、前記誘導センサーが下記のものを含むシステム：
−  前記誘導コイルに接続された一定電圧フィードバックループ；及び
−  前記フィードバックループに通信する電圧出力線（それによって誘導コイルの有効抵抗の変動が電圧出力線の変化を発生する）。
【請求項１１】  前記フィードバックループが約１〜２０メガヘルツの周波数を有する発振器を含む請求項１０記載の回路。
【請求項１２】  紙巻きタバコ受入口に沿った位置に誘導子の有効抵抗のレベルを示す信号の変化に応答して制御信号を発生する工程を含む、電気喫煙システムのライターの作動方法。
【請求項１３】  紙巻きタバコに沿った位置において誘導マーカーを含む紙巻きタバコ。
【請求項１４】  ライターの紙巻きタバコ受入口に沿った位置にあるコイル、コイルと通信する発振回路、及び発振回路の出力に応答してライターを活性化又は不活性化するように構成された制御器を含む紙巻きタバコ識別システム。
【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  ２つの物品のジョイントされた取り外し可能な結合の手段であって、
第１の物品（２）であって、その一方（３）が１つの広幅部分（６）と１つの狭幅部分（７）を有する略鍵穴形状の貫通穴（５）を備え、他方（４）が狭幅部分（７）に向かい合って対向して配置されたペグ（８）を備えている、２つの異なる要素（３、４）を具備する第１の物品（２）と、
第２の物品（１）であって、外側端部でカラー（１２）を支持する内側のくびれ（１１）を有する略馬蹄形状の突起（１０）を有し、くびれ（１１）とカラー（１２）が共通の横方向の開口（１３）を有している第２の物品（１）と、を具備し、
第２の物品（１）の馬蹄形状の突起（１０）が、横方向の開口（１３）をペグ（８）の方に回した状態で、第１の物品（２）の貫通穴（５）の広い部分（６）に挿入可能で、それから、突起（１０）がペグ（８）を囲むように、広い部分（６）から狭い部分（７）へ摺動可能で、最後にペグの周りを回転させることにより第１の物品（２）と第２の物品（１）を互いに係止できるようにされている、
ことを特徴とする手段。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
アナログ光学サウンド・トラックを再生する装置であって、
前記アナログ光学サウンド・トラックと音声を表す包絡線とを含むフィルムを給送する給送手段と、
音声を表す包絡線付きの前記アナログ光学サウンド・トラックを表す表示画像信号を形成する走査手段と、
前記表示画像信号を形成する、前記音声を表す包絡線付きの前記アナログ光学サウンド・トラックの半分だけが前記走査手段の幅をほぼ満たすように、前記走査手段を位置合わせするための位置合わせ手段と、
前記アナログ光学サウンド・トラックと前記音声を表す包絡線との半分だけを表す前記画像信号を処理し、前記画像信号から音声出力信号を形成する手段と、
を備える、アナログ光学サウンド・トラックを再生する装置。
【請求項２】
アナログ光学フィルム・サウンド・トラックの再生から干渉を除去する方法であって、
ａ）音声を表す包絡線付きのサウンド・トラックと、前記サウンド・トラックのエッジに隣接する前記干渉とを含む前記フィルムを給送するステップと、
ｂ）前記音声を表す包絡線付きの前記サウンド・トラックと前記干渉とのディジタル画像を形成するステップと、
ｃ）音声を表す包絡線付きの前記サウンド・トラックと前記干渉との前記ディジタル画像を位置合わせさせ、それにより、前記干渉から最も離れた位置にある、前記音声を表す包絡線付きの前記アナログ光学サウンド・トラックの半分だけが、前記ディジタル画像を形成し、前記音声を表す包絡線の前記半分のピークが、前記ディジタル画像内に留まるようにするステップと、
ｄ）前記音声を表す包絡線の前記半分を表す前記ディジタル画像を処理して、音声出力信号を形成するステップと、
を含む、アナログ光学フィルム・サウンド・トラックの再生から干渉を除去する方法。
【請求項３】
アナログ光学フィルム・サウンド・トラックの再生からパーフォレーション干渉を除去する方法であって、
ａ）音声を表す包絡線付きのサウンド・トラックと前記パーフォレーション干渉とを含む前記フィルムを給送するステップと、
ｂ）前記音声を表す包絡線付きの前記サウンド・トラックと前記パーフォレーション干渉とのディジタル画像を形成するステップと、
ｃ）音声を表す包絡線付きの前記サウンド・トラックと前記パーフォレーション干渉との前記ディジタル画像を位置合わせさせ、それにより、前記パーフォレーション干渉がディジタル画像からなくなるように、且つ前記音声を表す包絡線のピークが前記ディジタル画像内に留まるようにするステップと、
を含む、アナログ光学フィルム・サウンド・トラックの再生からパーフォレーション干渉を除去する方法。
【請求項４】
周期的な雑音干渉を被るアナログ光学サウンド・トラックを再生する装置であって、
アナログ光学サウンド・トラックを含むフィルムを給送する手段と、
前記アナログ光学サウンド・トラックを表す表示画像信号を形成する走査手段と、
前記周期的な雑音干渉の源が前記表示画像信号から除去されるように、前記走査手段を位置合わせする手段と、
を備える、周期的な雑音干渉を被るアナログ光学サウンド・トラックを再生する装置。
【請求項５】
前記表示画像信号を処理して音響信号を形成する手段を備える、請求項４に記載の周期的な雑音干渉を被るアナログ光学サウンド・トラックを再生する装置。
【請求項６】
前記走査手段を位置合わせする手段が、前記周期的な雑音干渉を前記音響信号からほぼ除去するための調整を可能にする、請求項４に記載の周期的な雑音干渉を被るアナログ光学サウンド・トラックを再生する装置。
【請求項７】
前記周期的な雑音干渉の源が、前記フィルム中のパーフォレーションである、請求項４に記載の周期的な雑音干渉を被るアナログ光学サウンド・トラックを再生する装置。
【手続補正２】
【補正対象書類名】明細書
【補正対象項目名】発明の名称
【補正方法】変更
【補正の内容】
【発明の名称】アナログ光学サウンド・トラックを再生する装置、およびアナログ光学フィルム・サウンド・トラックの再生から干渉を除去する方法
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
所定の容量を有する電子記憶装置を有する装置であって、ユーザやりとりを含む複数の外部やりとりに応答するように構成され、外部やりとりのうちの少なくとも特定のやりとりが前記電子記憶装置への特定のデータ転送を必要とし、この特定のデータ転送が前記電子記憶装置の前記容量を超えるサイズを有するようになっている装置におけるアセンブリにおいて、
特定のデータ転送の最初の部分を前記電子記憶装置にロードして、電子記憶装置を前記容量まで満たし、これにより、所定の方法での使用のためにデータの最初の部分を利用できるようにする第１の装置と、
前記電子記憶装置に記憶された任意のデータの前記所定の方法での使用を監視する第２の装置と、
特定のデータ転送の更なる部分を前記電子記憶装置にロードして、前記所定の方法で使用された特定のデータ転送の最初の部分を交換し、これにより、特定のデータ転送の最初の部分の未使用部分および特定のデータ転送の前記更なる部分が同時に前記電子記憶装置内に記憶されるようにする第３の装置と、
を備えている、アセンブリ。
【請求項２】
電気機械デジタル記憶装置を有し、これにより、前記最初の部分および前記更なる部分における前記電子記憶装置への転送のため、特定のデータ転送が前記電気機械デジタル記憶装置によって記憶される、請求項１に記載のアセンブリ。
【請求項３】
前記第１の装置は、特定のやりとり中に前記最初の部分を前記電子記憶装置にロードし始める、請求項２に記載の周辺制御装置。
【請求項４】
前記特定のやりとりがユーザやりとりであり、第３の装置は、前記複数の外部やりとりにおけるその後のユーザやりとり中に、データ転送の更なる部分をロードし始めるように構成され、これにより、電気機械デジタル記憶装置を使用する全てのデータ転送がユーザやりとり中に開始される、請求項３に記載の周辺制御装置。
【請求項５】
前記その後のユーザやりとりは、前記電気機械データ記憶装置へのデータアクセスを必要とし、前記第３の装置は、データアクセスを行なって、前記その後のユーザやりとり中にデータ転送の更なる部分をロードするように構成されている、請求項４に記載の周辺制御装置。
【請求項６】
所定の容量を有する電子記憶装置を有する装置であって、ユーザやりとりを含む複数の外部やりとりに応答するように構成され、外部やりとりのうちの少なくとも特定のやりとりが前記電子記憶装置への特定のデータ転送を必要とし、この特定のデータ転送が前記電子記憶装置の前記容量を超えるサイズを有するようになっている装置における方法において、
特定のデータ転送の最初の部分を前記電子記憶装置にロードして、前記電子記憶装置を前記容量まで満たし、これにより、所定の方法での使用のためにデータの最初の部分を利用できるようにするステップと、
前記電子記憶装置に記憶された任意のデータの使用を監視するステップと、
特定のデータ転送の更なる部分を前記電子記憶装置に転送して、前記所定の方法で使用された特定のデータ転送の最初の部分を交換し、これにより、特定のデータ転送の最初の部分の未使用部分および特定のデータ転送の前記更なる部分が同時に前記電子記憶装置内に記憶されるようにするステップと、
を備えている、方法。
【請求項７】
前記装置は、電気機械デジタル記憶装置を有し、これにより、特定のデータ転送が前記電気機械デジタル記憶装置によって記憶され、前記電子記憶装置にロードする前記ステップおよび前記電子記憶装置に転送する前記ステップは、前記最初の部分および前記更なる部分を前記電気機械記憶装置から前記電子記憶装置へと移動させる、請求項６に記載の方法。
【請求項８】
前記電子記憶装置にロードする前記ローディングステップは、特定のユーザやりとり中に前記最初の部分を前記電子記憶装置にロードし始める、請求項７に記載の方法。
【請求項９】
前記特定のやりとりがユーザやりとりであり、前記電子記憶装置に転送する前記ステップは、前記複数の外部やりとりにおけるその後のユーザやりとり中にデータ転送の更なる部分をロードし始めるステップを含み、これにより、電気機械デジタル記憶装置を使用する全てのデータ転送がユーザやりとり中に開始される、請求項８に記載の方法。
【請求項１０】
前記その後のユーザやりとりは、前記電気機械データ記憶装置へのデータアクセスを必要とし、前記方法は、前記その後のユーザやりとり中にデータアクセスを行なうステップを有している、請求項９に記載の方法。